(57)【特許請求の範囲】
【請求項１】
不透明の壁面で囲まれたエレベータシャフトの内部に、エレベータかごの昇降径路に沿って上下方向に連続して位置する複数のパネルユニットとして構成された発光装置を設け、当該発光装置に面するエレベータかごの側壁の全面又は略全面を透明素材で構成して、エレベータかごの昇降時にエレベータかごの移動方向とは反対方向への光の視覚的な流れを搭乗者に感じさせる演出装置を構成してあり、
前記発光装置は、不透明なパネルに光源を設置して構成されると共に、エレベータかごの昇降径路とカウンターウエイトの昇降径路との間に配置され、
また、前記パネルはカウンターウエイトの振れ止め用タイバーに留め具で取り付けられ、該パネルにおいて前記留め具の前方に相当する位置に開閉可能なメンテナンス用の窓が設けられていることを特徴とするエレベータ。
【請求項２】
エレベータかごの天井のうち、少なくとも透明素材で構成された側壁に隣接する天井部分を透明素材で構成してあることを特徴とする請求項１に記載のエレベータ。
【発明の詳細な説明】
【技術分野】
【０００１】
本発明は、不透明の壁面で囲まれたエレベータシャフト内を昇降するエレベータ、換言すれば、外部展望のない密閉状のエレベータに関する。
【背景技術】
【０００２】
エレベータかご内からビル周辺の屋外風景を見ることができる展望用エレベータは、密閉されたエレベータかご内の搭乗者に開放感を与え、昇降につれて透明な窓に映り行く周囲の屋外風景によって昇降のスピード感や高度感を感じることができ、密室状態が持続することの退屈さや気まずさを紛らわすことができることから、現在では、デパート、ショッピングセンター、ホテル等、多くのビルに採用されている。
【０００３】
また、展望用エレベータの多くは、エレベータかご自体に装飾用イルミネーション等の発光装置を取り付けたり、特許文献１に示すように、エレベータシャフトの内部にエレベータかごを照らし出す照明器具を設置して、ビル周辺の街行く人々にも、エレベータかごの昇降状態を見せて、ビルの装飾・宣伝効果を持たせるようにしている。
【０００４】
このように、展望用エレベータは、一般的な外部展望のないエレベータには見られない多くの利点を有している。その反面、展望用エレベータの場合、ビルの外壁に面する眺望の良い位置に設置しなければならず、しかも、エレベータかごの透明な側壁を外側（外壁側）に配置し、乗降口を内側（外壁とは反対側）に配置する必要があり、ビルの平面計画に与える制約が大きいといった問題点がある。
【０００５】
尚、不透明の壁面で囲まれたエレベータシャフト内を昇降する外部展望のない密閉状のエレベータであっても、ビルの外壁に面する位置に設置された展望用エレベータと同様にビル周辺の屋外風景を見られるようにしたエレベータの外部映像表示装置が、特許文献２によって提案されている。この従来技術は、ビルの外壁に、ビル周辺の屋外風景を撮影する昇降自在な外部撮影装置を設け、この外部撮影装置をエレベータかごの昇降に連動して昇降動作させると同時に、外部撮影装置が撮影したビル周辺の屋外風景をレベータかごの内部に設けた映像表示装置に表示させるようにしたものである。従って、外部撮影装置や映像表示装置の他、外部撮影装置の駆動装置、エレベータかごの昇降と外部撮影装置を連動させる装置など多くの構成部材が必要とされて、コストが高く付き、それらのメンテナンスも面倒であり、高層ビルや超高層ビルへの適用は困難である。
【先行技術文献】
【特許文献】
【０００６】
【特許文献１】特開昭５４−１１５９３７号公報
【特許文献２】特開平１１−７９５８０号公報
【発明の概要】
【発明が解決しようとする課題】
【０００７】
本発明は、上記の問題点を踏まえてなされたものであって、その目的とするところは、外部展望のない密閉状のエレベータであるにもかかわらず、エレベータかごの昇降時に、エレベータかごの移動方向とは反対方向への光の視覚的な流れにより、昇降のスピード感や高度感を搭乗者に直接感じさせることができるようにすることにある。
【課題を解決するための手段】
【０００８】
上記の目的を達成するために、本発明が講じた技術的手段は、次の通りである。即ち、請求項１に記載の発明によるエレベータは、不透明の壁面で囲まれたエレベータシャフトの内部に、エレベータかごの昇降径路に沿って上下方向に連続して位置する複数のパネルユニットとして構成された発光装置を設け、当該発光装置に面するエレベータかごの側壁の全面又は略全面を透明素材で構成して、エレベータかごの昇降時にエレベータかごの移動方向とは反対方向への光の視覚的な流れを搭乗者に感じさせる演出装置を構成してあり、
前記発光装置は、不透明なパネルに光源を設置して構成されると共に、エレベータかごの昇降径路とカウンターウエイトの昇降径路との間に配置され、
また、前記パネルはカウンターウエイトの振れ止め用タイバーに留め具で取り付けられ、該パネルにおいて前記留め具の前方に相当する位置に開閉可能なメンテナンス用の窓が設けられていることを特徴としている。
【０００９】
請求項２に記載の発明は、請求項１に記載のエレベータであって、エレベータかごの天井のうち、少なくとも透明素材で構成された側壁に隣接する天井部分を透明素材で構成してあることを特徴としている。
【００１０】
【００１１】
【００１２】
【発明の効果】
【００１３】
請求項１に記載の発明によれば、不透明の壁面で囲まれたエレベータシャフトの内部に、エレベータかごの昇降径路に沿って位置する発光装置を設ける一方、発光装置に面するエレベータかごの側壁の全面又は略全面を透明素材で構成したので、エレベータかごの昇降時に、発光装置からの光が透明な側壁を経てエレベータかごに入射し、搭乗者は、暗いエレベータシャフトの内部に、エレベータかごの移動方向とは反対方向への光の視覚的な流れを感じることができる。この光の視覚的な流れの速度は、エレベータかごの昇降速度に対応している。従って、外部展望のない密室状のエレベータであるにもかかわらず、エレベータかごの昇降時に、エレベータかごの移動方向とは反対方向への光の視覚的な流れにより、昇降のスピード感や高度感を搭乗者に直接感じさせることができる。
【００１４】
殊に、請求項２に記載の発明によれば、エレベータかごの天井のうち、少なくとも透明素材で構成された側壁に隣接する天井部分まで透明素材で構成したので、発光装置からの光が上下方向での広い範囲にわたってエレベータかごに入射することになる。それ故、エレベータかごの昇降時に、搭乗者は、天井近くを見上げることで、エレベータかごの移動方向とは反対方向への光の視覚的な流れをある程度の長さにわたって持続して感じることができる。従って、外部展望のない密閉状のエレベータであるにもかかわらず、エレベータかごの昇降時に、昇降のスピード感や高度感を搭乗者に直接、より一層ダイナミックに感じさせることができる。
【００１５】
請求項１に記載の発明によれば、上記の効果に加えて、発光装置が、不透明なパネルに光源を設置して構成されているので、光源としてＬＥＤ等の点光源を選択し、これらを適当な間隔で配置するといったように、光源の種類や配置を適宜設定するだけで、エレベータかごの昇降時、天井近くを見上げた搭乗者に、暗いエレベータシャフトの内部におけるエレベータかごの昇降速度に対応した無数の点在する光の視覚的な流れにより、恰も飛行機が離陸から着陸するまでの夜間飛行の如き感覚を抱かせることが可能である。
【００１６】
請求項１に記載の発明によれば、不透明なパネルと光源から成る発光装置がエレベータかごの昇降径路とカウンターウエイトの昇降径路との間に配置されているので、カウンターウエイト、カウンターウエイト用のレール、カウンターウエイトを吊下げるワイヤーロープ等が演出装置による上述した演出効果の邪魔にならない。また、発光装置がカウンターウエイト、カウンターウエイト用のレール、カウンターウエイトを吊下げるワイヤーロープ等の目隠しに兼用されることになり、専用の目隠しは不要である。
【００１７】
請求項１に記載の発明によれば、発光装置のパネルが、カウンターウエイトの振れ止め用タイバーに取り付けられているので、上記の効果に加えて、カウンターウエイト、カウンターウエイト用のレール、カウンターウエイトを吊下げるワイヤーロープ等がパネルや光源の着脱作業の邪魔にならず、演出装置のメンテナンスや更新の作業が容易になる等の効果がある。
【図面の簡単な説明】
【００１８】
【図１】本発明に係るエレベータの縦断側面図である。
【図２】上記エレベータの横断平面図である。
【図３】要部の横断平面図である。
【図４】要部を拡大した横断平面図である。
【図５】図４のＡ−Ａ断面図である。
【図６】作用を説明するエレベータの縦断正面図である。
【図７】作用を説明するエレベータかご内の見上げ図である。
【図８】本発明の他の実施形態を示す要部の横断平面図である。
【図９】本発明の他の実施形態を示すエレベータの概略横断平面図である。
【図１０】本発明の他の実施形態を示すエレベータの概略横断平面図である。
【発明を実施するための形態】
【００１９】
以下、本発明に係るエレベータＡを図１〜図７に基づいて説明する。このエレベータＡは、不透明の壁面で囲まれたエレベータシャフト１の内部に、エレベータかご２の昇降径路に沿って上下方向に連続して位置するパネル状の発光装置３を設け、当該発光装置３に面するエレベータかご２の側壁４の全面又は略全面（大部分）を透明ガラス等の透明素材で構成し、さらに、エレベータかご２の天井５のうち、少なくとも透明素材で構成された側壁４に隣接する天井部分５ａを同様な透明素材で構成することにより、エレベータかご２の昇降時にエレベータかご２の移動方向とは反対方向への光の視覚的な流れを搭乗者Ｂに感じさせる演出装置を構成したものである。
【００２０】
発光装置３の光源としては、例えば、白熱電球、ハロゲン球、クリプトン球、蛍光灯、ＬＥＤ、ネオン管、画像を表示する薄型ディスプレイなどを任意に選択又は組み合わせて採用することも可能であるが、図示の実施形態においては、黒、濃紺などの暗い色に着色された不透明な金属製のパネル６に光源として多数のＬＥＤ７を点在する状態に固定して、パネル状の発光装置３を構成してある。ＬＥＤ７の色は、例えば、白色と青色を適当な配列で組み合わせる等、適宜設定できる。パネル６は、上下方向において所定長さのパネルユニット毎に分割されており、演出装置の更新時やメンテナンス時に、必要な箇所のパネルユニットを分離して取り外せるように構成されている。
【００２１】
そして、このパネル状の発光装置３をエレベータかご２の昇降径路とカウンターウエイト８の昇降径路との間に配置してある。具体的には、図３に示すように、発光装置３のパネル６を、カウンターウエイト８の振れ止め用タイバー９に取り付けてある。振れ止め用タイバー９に対するパネル６の取付けは、ボルト・ナット等の留め具１０で行うことが望ましい。このようにすれば、図４、図５に示すように、パネル６の所定位置に開閉可能なメンテナンス用の窓１１を設けておき、エレベータかご２の天井５に載った作業員又は透明な側壁４を外した状態でエレベータかご２の床１２に載った作業員が適当な工具１３を前方から差し込んで、パネルユニットの着脱を行えるからである。
【００２２】
図中の１４はエレベータかご用のレール、１５はカウンターウエイト用のレール、１６はエレベータかご２とカウンターウエイト８を吊下げ支持するワイヤーロープ、１７はエレベータかご２の扉、１８はエレベータホール側の乗降口である。
【００２３】
尚、図１〜図７の実施形態においては、エレベータシャフト１の内部に２基のエレベータＡを設置してあり、図２、図６に示すように、２基のエレベータＡにおけるエレベータかご２の相対向する側面に前記ＬＥＤ７とは異なる色（例えば、赤色）の点滅ランプ（ＬＥＤ）１９を設けてある。従って、２基のエレベータＡのすれ違い等の際、隣のエレベータかご２の搭乗者Ｂが透明な天井部分５ａを通してすれ違うエレベータかご２の点滅ランプ１９を見ることができる。
【００２４】
上記の構成によれば、不透明の壁面で囲まれたエレベータシャフト１の内部に、エレベータかご２の昇降径路に沿って上下方向に連続して位置するパネル状の発光装置３を設ける一方、発光装置３に面するエレベータかご２の側壁４の全面又は略全面を透明素材で構成し、さらに、エレベータかご２の天井５のうち、少なくとも透明素材で構成された側壁４に隣接する天井部分５ａを同様な透明素材で構成したので、発光装置３からの光が上下方向での広い範囲にわたってエレベータかご２に入射することになる。
【００２５】
それ故、エレベータかご２の昇降時に、搭乗者Ｂは、天井５近くを見上げることで、不透明の壁面で囲まれた暗いエレベータシャフト１の内部において、エレベータかご２の移動方向とは反対方向への光の視覚的な流れをある程度の長さにわたって持続して感じることができる。従って、外部展望のない密閉状のエレベータＡであるにもかかわらず、エレベータかご２の昇降時に、昇降のスピード感や高度感を搭乗者Ｂに、直接かつダイナミックに感じさせることができる。
【００２６】
また、発光装置３が、不透明なパネル６に多数のＬＥＤ７を点在する状態に固定して構成されているので、エレベータかご２の昇降時、天井５近くを見上げた搭乗者Ｂに、暗いエレベータシャフト１の内部におけるエレベータかご２の昇降速度に対応した無数の点在する光の視覚的な流れにより、恰も飛行機が離陸から着陸するまでの夜間飛行の如き感覚を抱かせることが可能である。
【００２７】
しかも、不透明なパネル６と多数のＬＥＤ７から成るパネル状の発光装置３がエレベータかご２の昇降径路とカウンターウエイト８の昇降径路との間に配置されているので、カウンターウエイト８、カウンターウエイト用のレール１５、カウンターウエイト８を吊下げるワイヤーロープ１６等が演出装置による上述した演出効果の邪魔にならない。また、発光装置３がカウンターウエイト８、カウンターウエイト用のレール１５、カウンターウエイト８を吊下げるワイヤーロープ１６等の目隠しに兼用されることになり、演出効果の邪魔にならないようにするための専用の目隠しは不要である。
【００２８】
また、発光装置３のパネル６が、カウンターウエイト８の振れ止め用タイバー９に取り付けられているので、カウンターウエイト８、カウンターウエイト用のレール１５、カウンターウエイト８を吊下げるワイヤーロープ１６等がパネル６やＬＥＤ７の着脱作業の邪魔にならず、演出装置のメンテナンスや更新の作業が容易である。
【００２９】
図８は本発明の他の実施形態を示す。この実施形態は、発光装置３に面するエレベータかご２の側壁４とそれに隣接する左右の側壁部分４ａを透明ガラス等の透明素材で構成した点に特徴がある。その他の構成や作用は、図１〜図７の実施形態と同じであるため、説明を省略する。
【００３０】
図９と図１０は、各々、本発明の他の実施形態を示す。図９の実施形態は、エレベータかご２から見てカウンターウエイト８の昇降径路の後ろ側に位置する壁面に発光装置３を配置した点に特徴がある。この構成によれば、エレベータかご２が昇降ストロークの中間点（カウンターウエイト８と一致する高さ）以上に上昇すると、エレベータかご２の透明な側壁４と発光装置３の間に、カウンターウエイト８やそれを吊下げるワイヤーロープ１６等が現れるので、これらが演出効果の妨げになる虞がある。従って、エレベータかご２の高さに対応して、発光装置３のＬＥＤ７の間隔、点灯するＬＥＤ７の選択や色彩変化を行うための制御を行うことが望ましい。この点、図１０の実施形態では、カウンターウエイト８の昇降径路をエレベータかご２の昇降径路の横側方に並べて配置したエレベータであるため、エレベータシャフト１の壁面に発光装置３を配置してもカウンターウエイト８やそれを吊下げるワイヤーロープ１６等が邪魔にならない。
【００３１】
図示しないが、発光装置３の光源の選択・組合せ・配置、発光装置３のパネル６に設置するＬＥＤ７の配列や色の変化等の制御により、文字や絵を表現するなど多様な演出が可能であり、更には、ライン状に光る発光装置３やパネル全体が光る発光装置３とすることも可能であり、本発明は図示の実施形態だけに限定されるものではない。
【符号の説明】
【００３２】
Ａ  エレベータ
Ｂ  搭乗者
１  エレベータシャフト
２  エレベータかご
３  発光装置
４  側壁
４ａ  左右の側壁部分
５  天井
５ａ  天井部分
６  パネル
７  ＬＥＤ（光源の一例）
８  カウンターウエイト
９  カウンターウエイトの振れ止め用タイバー
１０  留め具
１１  メンテナンス用の窓
１２  床
１３  工具
１４  エレベータかご用のレール
１５  カウンターウエイト用のレール
１６  ワイヤーロープ
１７  扉
１８  乗降口
１９  点滅ランプ
【図１】
0005876261.tif 000002
【図２】
0005876261.tif 000003
【図３】
0005876261.tif 000004
【図４】
0005876261.tif 000005
【図５】
0005876261.tif 000006
【図６】
0005876261.tif 000007
【図７】
0005876261.tif 000008
【図８】
0005876261.tif 000009
【図９】
0005876261.tif 000010
【図１０】
0005876261.tif 000011